(57)【要約】【課題】日付が画像に含まれている写真を焼き増しコピープリントする場合、上記日付部分がプリントされず、しかも、マルチファンクションプリンタの構成が簡素であるマルチファンクションプリンタおよびマルチファンクションプリンタの制御方法とを提供することを目的とする。【解決手段】写真を焼き増しコピープリントする際に、日付領域の有無を検出し、日付領域を検出すると、写真から読み取った画像データの画像領域のうちで、日付領域を含まない矩形で印刷領域を設定し、記録する。【選択図】図４
2008092318.tif 000002
【特許請求の範囲】
【請求項１】
画像読取手段と；
上記画像読取手段が読み取った画像データ内に存在している日付情報を検出する日付情報検出手段と；
上記日付情報検出手段が上記日付情報を検出すると、上記画像データのうちで上記日付情報を含まない矩形領域を、印刷領域として設定する印刷領域設定手段と；
上記画像読取手段が読み取った画像データであって、上記印刷領域設定手段が設定した印刷領域の画像データを記録する画像記録手段と；
を有することを特徴とするマルチファンクションプリンタ。
【請求項２】
請求項１において、
記録する用紙に関する設定を行う記録用紙設定手段を有し、
上記印刷領域設定手段は、上記記録用紙設定手段が設定した記録紙のサイズ情報に基づいて、上記印刷領域の矩形領域の形状を設定する手段であることを特徴とするマルチファンクションプリンタ。
【請求項３】
請求項１において、
記録する用紙に関する設定を行う記録用紙設定手段を有し、
上記印刷領域設定手段は、上記記録用紙設定手段が設定した印刷時のフチの有無情報に基づいて、上記印刷領域の矩形領域の形状を設定する手段であることを特徴とするマルチファンクションプリンタ。
【請求項４】
請求項１において、
上記画像読取手段は、ＣＩＳまたはＣＣＤを読取素子として利用するスキャナであることを特徴とするマルチファンクションプリンタ。
【請求項５】
請求項１において、
上記画像記録手段は、インクジェット方式を採用する手段であることを特徴とするマルチファンクションプリンタ。
【請求項６】
画像読取手段が読み取った画像データ内に存在している日付情報を検出する日付情報検出工程と；
上記日付情報検出工程で上記日付情報が検出されると、上記画像データのうちで上記日付情報を含まない矩形領域を、印刷領域として設定する印刷領域設定工程と；
上記画像読取工程で読み取った画像データであって、上記印刷領域設定工程で設定された印刷領域の画像データを記録する画像記録工程と；
を有することを特徴とするマルチファンクションプリンタの制御方法。
【発明の詳細な説明】
【技術分野】
【０００１】
本発明は、スキャナ（画像読取装置）機能を有し、写真の焼き増しコピープリントを行うことができるマルチファンクションプリンタに関する。
【背景技術】
【０００２】
昨今のプリンタでは、従来のＰＣからのプリント機能に加え、さらに、スキャナ（画像読取装置）機能を有し、プリンタ単体でのスキャンやコピー等の動作を行うことができるマルチファンクションプリンタが市場に浸透しつつある。このようなマルチファンクションプリンタでは、銀塩写真やプリントしたデジタルカメラの写真を、原稿台に置き、コピー操作をすることによって、プリンタ単体で、簡単に写真の焼き増しコピープリントをすることができる。
【０００３】
さらに、スキャナ（画像読取装置）に、フィルムスキャン機能を有するものがあり、このようなマルチファンクションプリンタでは、プリンタ単体で、フィルムから直接写真をプリントすることができる。
【０００４】
このような写真の焼き増しコピー印刷ができるマルチファンクションプリンタにおいて、写真内に日付が焼き付けられている写真やフィルムを、焼き増しコピープリントすると、プリントされた出力写真内に、読み取った日付もプリントされる。日付がプリントされることは、画像だけをプリントしたいユーザにとって、目障りである。
【０００５】
そこで、日付を文字認識手段が文字認識し、日付領域の各画素を、日付領域の周囲の隣接画素の色データに置換し、これによって、画像データから日付を除去することが提案されている（たとえば、特許文献１参照）。
【特許文献１】特開平１１−２１２９９２号公報
【発明の開示】
【発明が解決しようとする課題】
【０００６】
しかし、文字認識することによって日付を検出する処理は、非常に複雑であり、実現するためには、装置のコストアップが必要になり、また、処理が複雑であるので、パフォーマンスの低下を招く恐れがあるという問題がある。したがって、上記特許文献１記載の発明を、昨今の低価格化したマルチファンクションプリンタへ実装することが困難である。
【０００７】
また、上記従来例では、日付領域を周囲の隣接画素の色データに置換する処理も、複雑であるという問題があり、また、色データの置換部分が、画質的に不自然な印象を与えることが否めないという問題がある。
【０００８】
本発明は、日付が画像に含まれている写真を焼き増しコピープリントする場合、日付部分がプリントされず、しかも、装置の構成が簡素であるマルチファンクションプリンタを提供することである。
【課題を解決するための手段】
【０００９】
本発明は、写真を焼き増しコピープリントする際、日付の有無を検出し、日付を検出すると、画像領域のうちで、日付領域を含まない矩形で印刷領域を設定し、記録する。
【発明の効果】
【００１０】
本発明のマルチファンクションプリンタによれば、写真を焼き増しコピープリントする際、日付の有無を検出し、日付が存在すれば、画像領域から日付領域を含まない矩形で印刷領域を設定し、記録する。したがって、日付が画像に含まれている写真をプリントする場合、日付部分がプリントされず、また、装置の構成が簡素であるという効果を奏する。
【発明を実施するための最良の形態】
【００１１】
発明を実施するための最良の形態は、次の実施例である。
【実施例１】
【００１２】
図１は、本発明の実施例１であるマルチファンクションプリンタ１００の概略構成を示すブロック図である。
【００１３】
マルチファンクションプリンタ１００は、ＣＰＵ１と、ＲＯＭ２と、ＲＡＭ３と、画像メモリ４と、データ変換部５と、読取制御部６と、読取部７と、操作部８と、表示部９とを有する。また、マルチファンクションプリンタ１００は、通信制御部１０と、解像度変換処理部１１と、符号復号化処理部１２と、記録制御部１３と、記録部１４と、ＵＳＢファンクション制御部１５と、ＵＳＢホスト制御部１６とを有する。さらに、マルチファンクションプリンタ１００は、メモリカードスロット１７と、メモリカード制御部１８と、ＣＰＵバス２１とを有する。
【００１４】
ＣＰＵ１は、システム制御部であり、マルチファンクションプリンタ１００の全体を制御する。ＲＯＭ２は、ＣＰＵ１が実行する制御プログラムや組み込みオペレーティングシステム（ＯＳ）プログラム等を格納する。
【００１５】
ＲＡＭ３は、ＳＲＡＭ（ｓｔａｔｉｃ  ＲＡＭ）等で構成され、プログラム制御変数等を格納し、また、オペレータが登録した設定値やマルチファンクションプリンタ１００の管理データ等を格納し、各種ワーク用バッファ領域が設けられている。画像メモリ４は、ＤＲＡＭ（ｄｙｎａｍｉｃ  ＲＡＭ）等で構成され、画像データを蓄積する。
【００１６】
データ変換部５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。読取制御部６は、読取部７が読み取った画像データを、図示しない画像処理制御部を介して、２値化処理や中間調処理等の各種画像処理を施し、高精細な画像データを出力する。
【００１７】
読取部７は、ＣＣＤやＣＩＳによって構成され、原稿を光学的に読み取り、電気的な画像データに変換する。操作部８は、設定キー、スタートキー、キャンセルキー等を有し、オペレータが用紙サイズ等の印刷設定やプリント実行の指示動作を行う。表示部９は、ＬＥＤ（発光ダイオード）、ＬＣＤ（液晶ディスプレイ）等によって構成される。操作部８を介してオペレータが各種入力操作した内容、マルチファンクションプリンタ１００の動作状況、ステータス状況、画像メモリ４に蓄積された画像データを表示する。
【００１８】
通信制御部１０は、ＭＯＤＥＭ（変復調装置）、ＮＣＵ（網制御装置）等によって構成され、アナログの通信回線（ＰＳＴＮ）３１に接続され、Ｔ３０プロトコルでの通信制御、通信回線に対する発呼、着呼等の回線制御を行う。
【００１９】
解像度変換処理部１１は、画像データのミリ−インチ解像度変換等、解像度変換制御を行う。なお、解像度変換処理部１１は、画像データを拡大縮小する処理を行う。符号復号化処理部１２は、マルチファンクションプリンタ１００で扱う画像データ（ＭＨ、ＭＲ、ＭＭＲ、ＪＢＩＧ、ＪＰＥＧ等）について、符号復号化処理し、拡大縮小処理する。
【００２０】
記録制御部１３は、印刷される画像データに、図示しない画像処理制御部を介して、スムージング処理、記録濃度補正処理、色補正等の各種画像処理を施し、印刷用の画像データに変換し、画像メモリ４に蓄積する。また、記録部１４の状態情報データを、定期的に取得する。記録部１４は、インクジェット方式を用いた印刷装置であり、記録制御部１３が変換し、画像メモリ４に蓄積した印刷用の画像データを取り出し、カラー画像データ、またはモノクロ画像データを印刷部材に印刷する。
【００２１】
ＵＳＢファンクション制御部１５は、ＵＳＢインタフェースを介して通信制御する。ＵＳＢ通信規格に従って、プロトコル制御を行い、ＣＰＵ１が実行するＵＳＢ制御タスクからのデータをパケットに変換し、外部の情報処理端末に、ＵＳＢパケットを送信する。また、逆に、外部の情報処理端末からのＵＳＢパケットを、データに変換し、ＣＰＵ１に送信する。
【００２２】
ＵＳＢホスト制御部１６は、ＵＳＢ通信規格で定められたプロトコルで通信を行うための制御部である。ＵＳＢ通信規格は、双方向のデータ通信を高速に行うことができる規格であり、１台のホスト（マスター）に、複数のハブまたはファンクション（スレーブ）を接続することができる。ＵＳＢホスト制御部１６は、ＵＳＢ通信におけるホストの機能を有する。
【００２３】
メモリカードスロット１７は、ＵＳＢインタフェースを介して、ＵＳＢホスト制御部１６に接続され、着脱可能なメモリカードが装着される。メモリカード制御部１８は、メモリカードスロット１７に装着されたメモリカードに格納されている画像データファイルにアクセスし、読み書きすることができる。
【００２４】
次に、写真の焼き増しコピープリント機能について、説明する。
【００２５】
図２は、実施例１において、写真の焼き増しコピープリント機能の処理を示すフローチャートである。
【００２６】
図３は、実施例１の動作説明図である。
【００２７】
図３（ａ）は、日付が焼き付けられている写真を、読取部７が読み取った画像データの例を示す図である。図３（ｂ）、（ｃ）は、本発明の処理によって、日付領域を含まない印刷領域を切り抜く例を示す図である。
【００２８】
まず、ユーザは、マルチファンクションプリンタ１００の原稿台に、焼き増しコピープリントしたい写真を置き、操作部８のスタートキーを押下し、写真の焼き増しコピープリント処理を開始させる（Ｓ１）。
【００２９】
読取制御部６は、読取部７を制御し、原稿台の写真を読み取り、画像データとして画像メモリ４に出力する（Ｓ２）。読み取った画像データは、図３（ａ）に示すように、日付領域を含んでいる写真全体のデータである。
【００３０】
ＣＰＵ１は、読み取った画像データ内に、日付情報が存在するかどうかを検出する（Ｓ３）。日付情報を検出する場合、たとえば、画像の特定領域（たとえば、画像の上下一定領域）内で、複数の特定色（たとえば、オレンジ色）の発生比率が特定の発生比率である領域を検出し、この検出された領域が日付情報の存在する領域であるとみなす。ここでは、日付情報を検出する場合、日付情報の有無が分かれば足りるので、文字認識等する必要がなく、高度で複雑な処理を行う必要がないので、簡易である。
【００３１】
日付情報が存在しないと判定されると（Ｓ４）、記録制御部１３は、読み取った画像メモリ内の画像データから、印刷用の画像データを生成し、記録部１４が、印刷用の画像データを印刷部材に印刷する（Ｓ６）。
【００３２】
日付情報が存在すると判定されれば（Ｓ４）、日付領域を含まない矩形領域によって、印刷領域を設定する（Ｓ５）。印刷領域を切り出す場合、図３（ｂ）に示すように、画像データの中心部を選択することによって、日付領域を含まない矩形領域を設定するようにしてもよい。また、図３（ｃ）に示すように、日付領域を避けて、最大領域を選択することによって、日付領域を含まない矩形領域を設定するようにしてもよい。または、ユーザが、操作部８と表示部９とを用い、印刷領域を指定する手段をさらに設けるようにしてもよい。
【００３３】
また、操作部８を介してユーザが指定した用紙サイズであって、印刷する用紙サイズ（たとえば、Ｌ判、４×６等）の縦横比と同じ縦横比を有する矩形形状が、印刷領域の形状として設定される。
【００３４】
記録制御部１３は、読み取った画像メモリ内の画像データのうちで、Ｓ４で設定された矩形領域の画像データから、印刷用の画像データを生成し、記録部１４が、印刷用の画像データを印刷部材に印刷する（Ｓ６）。
【００３５】
これによって、ユーザは、写真を焼き増しコピープリントする際、日付のない写真をプリントすることができる。
【００３６】
次に、印刷矩形領域の設定処理（Ｓ５）について、詳細に説明する。
【００３７】
操作部８を介してユーザが指定できる印刷設定の１つに、「フチあり／フチなし」の設定がある。印刷領域として、日付領域を避けた矩形領域を設定する処理（Ｓ４）において、「フチあり／フチなし」の設定によって、切り出す印刷領域の形状（縦横比）を変える。印刷する用紙サイズとしてＬ版が設定されている場合について説明する。
【００３８】
図４は、実施例１における印刷矩形領域の設定処理（Ｓ５）の説明図である。
【００３９】
Ｌ判の縦横サイズを、１２７ｍｍ×８９ｍｍとし、フチあり印刷時のフチのサイズを３ｍｍとし、フチなし印刷時のはみ出し量を３ｍｍとすると、「フチあり」設定時の印刷矩形の縦横比を、図４（ａ）に示すように、１２４：８６とし、印刷領域が設定される。また、「フチなし」設定時の印刷矩形の縦横比を、図４（ｂ）に示すように、１３０：９２とし、印刷領域が設定される。
【００４０】
さらに、「フチなし」設定時に、切り出す印刷矩形領域を、フチのはみ出し分を考慮し、縦横比を１３０：９２のままにし、図４（ｃ）に示すように、印刷領域を大きく取るようにしてもよい。このようにすることによって、「フチあり」設定時の印刷結果と、「フチなし」設定時の印刷結果とを同じにすることができる。
【００４１】
つまり、上記実施例は、画像読取手段と、上記画像読取手段が読み取った画像データ内に存在している日付情報を検出する日付情報検出手段とを有する。また、上記実施例は、上記日付情報検出手段が上記日付情報を検出すると、上記画像データのうちで上記日付情報を含まない矩形領域を、印刷領域として設定する印刷領域設定手段を有する。さらに、上記実施例は、上記画像読取手段が読み取った画像データであって、上記印刷領域設定手段が設定した印刷領域の画像データを記録する画像記録手段を有する。
【００４２】
この場合、記録する用紙に関する設定を行う記録用紙設定手段を有し、上記印刷領域設定手段は、上記記録用紙設定手段が設定した記録紙のサイズ情報に基づいて、上記印刷領域の矩形領域の形状を設定する手段である。また、上記印刷領域設定手段は、上記記録用紙設定手段が設定した印刷時のフチの有無情報に基づいて、上記印刷領域の矩形領域の形状を設定する手段である。
【００４３】
さらに、上記画像読取手段は、ＣＩＳまたはＣＣＤを読取素子として利用するスキャナである。そして、上記画像記録手段は、インクジェット方式を採用する手段である。
【図面の簡単な説明】
【００４４】
【図１】本発明の実施例１であるマルチファンクションプリンタ１００の概略構成を示すブロック図である。
【図２】実施例１において、写真の焼き増しコピープリント機能の処理を示すフローチャートである。
【図３】実施例１の動作説明図である。
【図４】実施例１における印刷矩形領域の設定処理（Ｓ５）の説明図である。
【符号の説明】
【００４５】
１００…マルチファンクションプリンタ、
１…ＣＰＵ、
４…画像メモリ、
６…読取制御部、
７…読取部、
８…操作部、
９…表示部、
１０…通信制御部、
１１…解像度変換処理部、
１２…符号復号化処理部、
１３…記録制御部、
１４…記録部、
１５…ＵＳＢファンクション制御部、
１６…ＵＳＢホスト制御部、
１７…メモリカードスロット、
１８…メモリカード制御部。
【図１】
2008092318.tif 000003
【図２】
2008092318.tif 000004
【図３】
2008092318.tif 000005
【図４】
2008092318.tif 000006